(57)【特許請求の範囲】
【請求項１】
剥離すべき床版を複数のブロック片に切断し、切断したブロック片上に、縦フレーム及び横フレームを前記切断したブロック片の切断形状にあわせて方形状に枠組みし該縦フレームと横フレームとの重合部に固定部材を挿通し該縦フレームと横フレームとを締結固定して形成した枠体を有する装置本体を被せて設置し、
前記被せて設置する方法は、前記固定部材の上方に設けられた4カ所の吊り上げ部に係止されたロープを介してクレーンで前記装置本体を吊り上げ、剥離すべきブロック片上に降下させ、前記ブロック片上に被せて設置するものであり、
前記一対の横フレームあるいは縦フレームをつなぐ一対の縦フレームあるいは横フレームには、剥離すべき床版のブロック片と該床版のブロック片表面部と間隔をあけて被せられた前記一対の縦フレームあるいは横フレームとを連結する連結部を、前記装置本体の隅角部近傍位置の少なくとも４カ所に形成して連結してなり、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記連結後に、前記駆動部を作動し、前記少なくとも４カ所の連結部における昇降杆を上昇させて、床版のブロック片を剥がす、
ことを特徴とする床版の剥がし方法。
【請求項２】
剥離すべき床版を複数のブロック片に切断し、切断したブロック片上に、縦フレーム及び横フレームを前記切断したブロック片の切断形状にあわせて方形状に枠組みし該縦フレームと横フレームとの重合部に固定部材を挿通し該縦フレームと横フレームとを締結固定して形成した枠体を有する装置本体を被せて設置し、
前記被せて設置する方法は、前記固定部材の上方に設けられた4カ所の吊り上げ部に係止されたロープを介してクレーンで前記床版剥がし装置を吊り上げ、剥離すべきブロック片上に降下させ、前記ブロック片上に被せて設置するものであり、
前記一対の横フレームあるいは縦フレームをつなぐ一対の縦フレームあるいは横フレームには、剥離すべき床版のブロック片と、該床版のブロック片表面部と間隔をあけて被せられた前記一対の縦フレームあるいは横フレームとを連結する連結部を、前記装置本体の隅角部近傍位置の少なくとも４カ所に形成して連結してなり、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記連結部の連結後に、前記駆動部を作動し、前記少なくとも４カ所の連結部における昇降杆を同時に上昇させて、床版のブロック片を剥がす、
ことを特徴とする床版の剥がし方法。
【請求項３】
剥離すべき床版を複数のブロック片に切断し、切断したブロック片上に、縦フレーム及び横フレームを前記切断したブロック片の切断形状にあわせて方形状に枠組みし該縦フレームと横フレームとの重合部に固定部材を挿通し該縦フレームと横フレームとを締結固定して形成した枠体を有する装置本体を被せて設置し、
前記被せて設置する方法は、前記固定部材の上方に設けられた4カ所の吊り上げ部に係止されたロープを介してクレーンで前記装置本体を吊り上げ、剥離すべきブロック片上に降下させ、前記ブロック片上に被せて設置するものであり、
前記一対の横フレームあるいは縦フレームをつなぐ一対の縦フレームあるいは横フレームには、剥離すべき床版のブロック片と、該床版のブロック片表面部と間隔をあけて被せられた前記一対の縦フレームあるいは横フレームとを連結する連結部を前記装置本体の隅角部近傍位置の少なくとも４カ所に形成して連結してなり、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記連結部の連結後に、前記駆動部を作動し、前記少なくとも４カ所の連結部における昇降杆を同時に上昇させて、床版のブロック片を剥がす剥がし作業をしてなり、
ついで、前記剥がし作業後のブロック片の床版姿勢を計測し、該計測値により前記４カ所に存する連結部における昇降杆の上昇駆動の制御を行ない、再度昇降杆を上昇させて床版のブロック片を剥がす、
ことを特徴とする床版の剥がし方法。
【請求項４】
切断された床版のブロック片上に、前記ブロック片の切断形状にあわせた形状の方形状に枠組みすべく縦フレームと横フレームとの重合部に固定部材を挿通し、該縦フレームと横フレームとを締結固定して形成した枠体を有する装置本体と、
前記切断されたブロック片上に被せて設置すべく、前記固定部材の上方に設けられた4カ所の吊り上げ部と、
前記吊り上げ部に係止されたロープを介して前記装置本体を吊り上げ、剥離すべきブロック片上に降下させて前記ブロック片上に被せて設置するクレーンと、
剥離すべき床版のブロック片と、該床版のブロック片表面部と間隔をあけて被せられた前記一対の縦フレームあるいは横フレームとを前記装置本体の隅角部近傍位置の少なくとも４カ所に形成して連結する連結部と、
を備え、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記連結後に、前記駆動部を作動し、前記少なくとも４カ所の連結部における昇降杆を上昇させて、床版のブロック片を剥がす、
ことを特徴とする床版剥がし装置。
【請求項５】
切断された床版のブロック片上に、前記ブロック片の切断形状にあせた形状の方形状に枠組みすべく縦フレームと横フレームとの重合部に固定部材を挿通し、該縦フレームと横フレームとを締結固定して形成した枠体を有する装置本体と、
前記切断されたブロック片上に被せて設置すべく、前記固定部材の上方に設けられた4カ所の吊り上げ部と、
前記吊り上げ部に係止されたロープを介して前記装置本体を吊り上げ、剥離すべきブロック片上に降下させて前記ブロック片上に被せて設置するクレーンと、
前記一対の横フレームあるいは縦フレームをつなぐ一対の縦フレームあるいは横フレームには、剥離すべき床版のブロック片と、該床版のブロック片表面部と間隔をあけて被せられた前記一対の縦フレームあるいは横フレームとを前記装置本体の隅角部近傍位置の少なくとも４カ所に形成して連結する連結部と、
を備え、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記連結後に、前記駆動部を作動し、前記少なくとも４カ所の連結部における昇降杆を同時に上昇させて、床版のブロック片を剥がす、
ことを特徴とする床版剥がし装置。
【請求項６】
切断された床版のブロック片上に、前記ブロック片の切断形状にあせた形状の方形状に枠組みすべく縦フレームと横フレームとの重合部に固定部材を挿通し、該縦フレームと横フレームとを締結固定して形成した枠体を有する装置本体と、
前記切断されたブロック片上に被せて設置すべく、前記固定部材の上方に設けられた4カ所の吊り上げ部と、
前記吊り上げ部に係止されたロープを介して前記装置本体を吊り上げ、剥離すべきブロック片上に降下させて前記ブロック片上に被せて設置するクレーンと、
前記一対の横フレームあるいは縦フレームをつなぐ一対の縦フレームあるいは横フレームには、剥離すべき床版のブロック片と、該床版のブロック片表面部と間隔をあけて被せられた前記一対の縦フレームあるいは横フレームとを前記装置本体の隅角部近傍位置の少なくとも４カ所に形成して連結する連結部と、
を備え、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記駆動部は、前記少なくとも４カ所の連結部における昇降杆を同時に上昇させる該駆動部による床版のブロック片の剥がし作業の後、ブロック片の床版姿勢を計測し、該計測値により前記４カ所に存する連結部における昇降杆を別個に上昇させる上昇駆動の制御を行なう、
ことを特徴とする床版剥がし装置。
【請求項７】
前記連結部の設置箇所は、横フレームあるいは縦フレームの長手方向に設置調節自在とされた、
ことを特徴とする請求項１、請求項２または請求項３記載の床版の剥がし方法。
【請求項８】
前記装置本体は、方形状の枠組みする縦フレーム及び横フレームとの枠組み間隔が調整自在に構成された、
ことを特徴とする請求項１、請求項２、請求項３または請求項７記載の床版の剥がし方法。
【請求項９】
前記方形状の枠組み形状は、正方形、長方形、台形及び平行四辺形状に形成自在とされた、
ことを特徴とする請求項１、請求項２、請求項３、請求項７または請求項８記載の床版の剥がし方法。
【発明の詳細な説明】
【技術分野】
【０００１】
本発明は、例えば橋梁あるいは高速道路等の道路上の路面に敷設されたコンクリート床版を解体して剥離する床版の剥がし方法及び床版剥がし装置に関するものである。
【背景技術】
【０００２】
例えば橋梁あるいは高架橋などの道路上の路面に敷設されたいわゆるコンクリート床版を剥離して解体し、新しいコンクリート床版を敷設する工事が一般的に行われている。
この様な工事で実施される前記コンクリート床版を剥離する工法は近年数多く提案されており、さらによりコストを安価に、より作業を迅速に、より確実に床版を剥離する工法並びに剥離装置が要望されるに至っている。
ところで、従来からの床版剥離方法及び床版剥がし装置は、まず解体すべきコンクリート床版を剥離しやすくするためにまず複数のブロック片に切断する。
ついで、剥離しようとする切断した床版ブロック片に隣接するコンクリート床版に例えば梁部材を架け渡し、該梁部材に剥離するコンクリート床版と、この梁部材とを繋ぐ、いわゆる吊り棒を取り付け、該吊り棒を吊り上げあるいは持ち上げることにより、コンクリート床版を剥離するものとしていた。
しかしながら、このような従来の剥離方法及び剥離装置は、架け渡した梁部材長手方向に間隔をあけて少なくとも２本以上複数本の吊り棒を取り付けており、コンクリート床版を剥離する際に、前記複数本の吊り棒を同時に上方に吊り上げる作業を行うなどしており、より安定した作業で確実にコンクリート床版を剥離でき、より剥離作業が迅速に出来、しかもより剥離コストが安価にしうるとの近年の要望に１００パーセント対応するものではないとの課題が生じていた。
【０００３】
【特許文献１】特開２００１−８１７３１号公報
【発明の開示】
【発明が解決しようとする課題】
【０００４】
本発明は、前記従来の課題を解消するために創案されたものであって、より安定性を有する作業で確実にコンクリート床版が剥離でき、より剥離作業が迅速に出来、しかもより剥離コストが安価になる床版の剥がし方法及び床版の剥がし装置を提供することを目的とするものである。
【課題を解決するための手段】
【０００５】
本発明による床版の剥がし方法及び床版剥がし装置は、
剥離すべき床版を複数のブロック片に切断し、切断したブロック片上に、縦フレーム及び横フレームを前記切断したブロック片の切断形状にあわせて方形状に枠組みし該縦フレームと横フレームとの重合部に固定部材を挿通し該縦フレームと横フレームとを締結固定して形成した枠体を有する装置本体を被せて設置し、
前記被せて設置する方法は、前記固定部材の上方に設けられた4カ所の吊り上げ部に係止されたロープを介してクレーンで前記装置本体を吊り上げ、剥離すべきブロック片上に降下させ、前記ブロック片上に被せて設置するものであり、
前記一対の横フレームあるいは縦フレームをつなぐ一対の縦フレームあるいは横フレームには、剥離すべき床版のブロック片と該床版のブロック片表面部と間隔をあけて被せられた前記一対の縦フレームあるいは横フレームとを連結する連結部を、前記装置本体の隅角部近傍位置の少なくとも４カ所に形成して連結してなり、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記連結後に、前記駆動部を作動し、前記少なくとも４カ所の連結部における昇降杆を上昇させて、床版のブロック片を剥がす、
ことを特徴とし、
または、
剥離すべき床版を複数のブロック片に切断し、切断したブロック片上に、縦フレーム及び横フレームを前記切断したブロック片の切断形状にあわせて方形状に枠組みし該縦フレームと横フレームとの重合部に固定部材を挿通し該縦フレームと横フレームとを締結固定して形成した枠体を有する装置本体を被せて設置し、
前記被せて設置する方法は、前記固定部材の上方に設けられた4カ所の吊り上げ部に係止されたロープを介してクレーンで前記床版剥がし装置を吊り上げ、剥離すべきブロック片上に降下させ、前記ブロック片上に被せて設置するものであり、
前記一対の横フレームあるいは縦フレームをつなぐ一対の縦フレームあるいは横フレームには、剥離すべき床版のブロック片と、該床版のブロック片表面部と間隔をあけて被せられた前記一対の縦フレームあるいは横フレームとを連結する連結部を、前記装置本体の隅角部近傍位置の少なくとも４カ所に形成して連結してなり、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記連結部の連結後に、前記駆動部を作動し、前記少なくとも４カ所の連結部における昇降杆を同時に上昇させて、床版のブロック片を剥がす、
ことを特徴とし、
または、
剥離すべき床版を複数のブロック片に切断し、切断したブロック片上に、縦フレーム及び横フレームを前記切断したブロック片の切断形状にあわせて方形状に枠組みし該縦フレームと横フレームとの重合部に固定部材を挿通し該縦フレームと横フレームとを締結固定して形成した枠体を有する装置本体を被せて設置し、
前記被せて設置する方法は、前記固定部材の上方に設けられた4カ所の吊り上げ部に係止されたロープを介してクレーンで前記装置本体を吊り上げ、剥離すべきブロック片上に降下させ、前記ブロック片上に被せて設置するものであり、
前記一対の横フレームあるいは縦フレームをつなぐ一対の縦フレームあるいは横フレームには、剥離すべき床版のブロック片と、該床版のブロック片表面部と間隔をあけて被せられた前記一対の縦フレームあるいは横フレームとを連結する連結部を前記装置本体の隅角部近傍位置の少なくとも４カ所に形成して連結してなり、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記連結部の連結後に、前記駆動部を作動し、前記少なくとも４カ所の連結部における昇降杆を同時に上昇させて、床版のブロック片を剥がす剥がし作業をしてなり、
ついで、前記剥がし作業後のブロック片の床版姿勢を計測し、該計測値により前記４カ所に存する連結部における昇降杆の上昇駆動の制御を行ない、再度昇降杆を上昇させて床版のブロック片を剥がす、
ことを特徴とし、
または、
切断された床版のブロック片上に、前記ブロック片の切断形状にあわせた形状の方形状に枠組みすべく縦フレームと横フレームとの重合部に固定部材を挿通し、該縦フレームと横フレームとを締結固定して形成した枠体を有する装置本体と、
前記切断されたブロック片上に被せて設置すべく、前記固定部材の上方に設けられた4カ所の吊り上げ部と、
前記吊り上げ部に係止されたロープを介して前記装置本体を吊り上げ、剥離すべきブロック片上に降下させて前記ブロック片上に被せて設置するクレーンと、
剥離すべき床版のブロック片と、該床版のブロック片表面部と間隔をあけて被せられた前記一対の縦フレームあるいは横フレームとを前記装置本体の隅角部近傍位置の少なくとも４カ所に形成して連結する連結部と、
を備え、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記連結後に、前記駆動部を作動し、前記少なくとも４カ所の連結部における昇降杆を上昇させて、床版のブロック片を剥がす、
を備えたことを特徴とし、
または、
切断された床版のブロック片上に、前記ブロック片の切断形状にあせた形状の方形状に枠組みすべく縦フレームと横フレームとの重合部に固定部材を挿通し、該縦フレームと横フレームとを締結固定して形成した枠体を有する装置本体と、
前記切断されたブロック片上に被せて設置すべく、前記固定部材の上方に設けられた4カ所の吊り上げ部と、
前記吊り上げ部に係止されたロープを介して前記装置本体を吊り上げ、剥離すべきブロック片上に降下させて前記ブロック片上に被せて設置するクレーンと、
前記一対の横フレームあるいは縦フレームをつなぐ一対の縦フレームあるいは横フレームには、剥離すべき床版のブロック片と、該床版のブロック片表面部と間隔をあけて被せられた前記一対の縦フレームあるいは横フレームとを前記装置本体の隅角部近傍位置の少なくとも４カ所に形成して連結する連結部と、
を備え、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記連結後に、前記駆動部を作動し、前記少なくとも４カ所の連結部における昇降杆を同時に上昇させて、床版のブロック片を剥がす、
を備えたことを特徴とし、
または、
切断された床版のブロック片上に、前記ブロック片の切断形状にあせた形状の方形状に枠組みすべく縦フレームと横フレームとの重合部に固定部材を挿通し、該縦フレームと横フレームとを締結固定して形成した枠体を有する装置本体と、
前記切断されたブロック片上に被せて設置すべく、前記固定部材の上方に設けられた4カ所の吊り上げ部と、
前記吊り上げ部に係止されたロープを介して前記装置本体を吊り上げ、剥離すべきブロック片上に降下させて前記ブロック片上に被せて設置するクレーンと、
前記一対の横フレームあるいは縦フレームをつなぐ一対の縦フレームあるいは横フレームには、剥離すべき床版のブロック片と、該床版のブロック片表面部と間隔をあけて被せられた前記一対の縦フレームあるいは横フレームとを前記装置本体の隅角部近傍位置の少なくとも４カ所に形成して連結する連結部と、
を備え、
前記連結部は、前記剥離すべき床版のブロック片と、該床版のブロック片表面部と間隔をあけて被せられた前記一対の縦フレームあるいは横フレームとを連結する昇降杆と、該昇降杆を前記一対の縦フレームあるいは横フレームを基点として昇降させる駆動部とを有して形成され、
前記駆動部は、前記少なくとも４カ所の連結部における昇降杆を同時に上昇させる該駆動部による床版のブロック片の剥がし作業の後、ブロック片の床版姿勢を計測し、該計測値により前記４カ所に存する連結部における昇降杆を別個に上昇させる上昇駆動の制御を行なう、
を備えたことを特徴とし、
または、
前記連結部の設置箇所は、横フレームあるいは縦フレームの長手方向に設置調節自在とされた、
ことを特徴とし、
または、
前記装置本体は、方形状の枠組みする縦フレーム及び横フレームとの枠組み間隔が調整自在に構成された、
ことを特徴とし、
または、
前記方形状の枠組み形状は、正方形、長方形、台形及び平行四辺形状に形成自在とされた、
ことを特徴とするものである。
【発明の効果】
【０００６】
本発明によれば、より安全性を有して確実にコンクリート床版を剥離でき、より剥離作業が迅速に出来、しかもより剥離コストを安価にできるとの優れた効果を奏する。
【発明を実施するための最良の形態】
【０００７】
以下本発明を図に示す実施例に基づいて説明する。
図１は例えば、高速道路、一般道路等道路１の路面に敷設されたコンクリート床版２を複数のブロック片３・・に切断した状態を示すものであり、このように、解体すべき路面上のコンクリート床版２は複数のブロック片３・・・に切断される。該切断に使用される器具については何ら限定されないが、通常のカッターなどにより容易に切断できる。
まず、路面の幅が広い場合には、当該路面の幅方向中央位置に路面長手方向に向かって切れ目４が入れられる。しかし、比較的路面の幅が狭い場合には、前記長手方向の切れ目４を必要としないこともある。
次に、路面長手方向に向かって所定の間隔をおき、路面幅方向に向かう切れ目５が入れられる。すると、路面に敷設されたコンクリート床版２が剥離しやすいように複数のブロック片３・・・、例えば略長方形状をしたブロック片３・・・が形成される。
図２は、本発明において使用される床版剥がし装置６を示す。この床版剥がし装置６はあらかじめ方形状に組み立てられている。
すなわち、縦フレーム７と横フレーム８とを枠組みして略方形状の枠体が形成されている。該方形状の枠体が前記床版剥がし装置６の装置本体９となる。
ここで、縦フレーム７及び横フレーム８の構成部材については何ら限定されるものではないが、それぞれ縦フレーム７及び横フレーム８の長手方向において接続の長さ調節が簡単にできる部材であることが好ましい。
その一例を説明すると、縦フレーム７及び横フレーム８は同様の部材で構成してもよく、それらは、いわゆる一対のＣ型チャンネルを所定の間隔１０をあけて向かい合わせにし、複数の連結部材１１で連結した部材としてある。
【０００８】
しかして、このような縦フレーム７と横フレーム８とを略方形状に枠組みし、前記縦フレーム７と横フレーム８との重合部に固定部材１２を挿通し、締結することにより縦フレーム７と横フレーム８とを強固に方形状に枠組みできる。
ここで、該装置本体９の枠体形状は自在に変更できるものであり、施工する箇所及び剥がすべきコンクリート床版２の切断形状に合わせて枠体形状を調整できるよう構成されている。
例えば正方形、長方形、台形あるいは平行四辺形など様々な方形状に枠組みすることもできる。
本発明では、剥離すべきコンクリート床版２の形状に合わせて床版剥がし装置６における装置本体９の形状を自在に調節し、変更できるように構成してある。
次に、方形状に枠組みした、例えば装置本体９の４カ所の隅角部下部には、装置本体９を構成する縦フレーム７及び横フレーム８と剥離すべき床版との間に剥離用スペース２８が設けられるよう間隔をあけるため脚２７・・・が設けている。
なお、前記４つの脚２７・・・により前記縦フレーム７及び横フレーム８と剥離すべき床版２のブロック片３との間に剥離用スペース２８を設けず、縦フレーム７あるいは横フレーム８の両端部を除いた部分につき切削し、この切削部により剥離用スペース２８を形成しても構わない。
【０００９】
また、方形状に枠組みした際、上側に位置する一対の縦フレーム７あるいは横フレーム８（図２では縦フレーム７が該当する）に後述する連結部２１を設置するようにすれば、前記脚２７・・・や切削部を設ける必要なく剥離用スペース２８を形成することが出来る。なぜなら、方形状に枠組みした際、下側に位置する一対の縦フレーム７あるいは横フレーム８（図２で説明すれば横フレーム８が該当する）が脚２７、２７となり、該脚２７，２７間に剥離用スペース２８を形成できるからである。なお、図２において、縦フレーム７，７に連結部２１・・・を設置する場合には、本発明の床版剥がし装置６を９０度回転させ、前記縦フレーム７が現在の図における横フレーム８の位置にする必要がある。
【００１０】
続いて、例えば前記一対の横フレーム８，８には、剥離すべきコンクリート床版２の剥離すべきブロック片３と前記一対の横フレーム８，８とを連結する連結部２１が取り付けられる。
【００１１】
ここで、本発明において該連結部２１は、例えばセンターホールジャッキなどにより構成するとよい。
【００１２】
当該センターホールジャッキは図５などから理解される様に、例えば、上クランプ部材２９と下クランプ部材３０、及び上、下のクランプ部材２９，３０によりクランプされる昇降杆３１並びに前記上、下のクランプ部材２９，３０の間隔を伸縮させる伸縮ジャッキ３２、さらには前記伸縮ジャッキ３２の伸縮を駆動する油圧ポンプなどの駆動部３３を有して構成される。
【００１３】
また、昇降杆３１の下方においては、剥離すべき床版２のブロック片３に切削穴２４が切削されてあり、該昇降杆３１を切削穴２４に挿入し、切削穴２４を通過させる。
そして、コンクリート床版２の剥離すべきブロック片３裏面から締結部材２３を昇降杆３１の雄ねじ部に螺挿させ、固定するのである。
【００１４】
これによりコンクリート床版２のブロック片３と床版剥がし装置６とが連結部２１により繋げられる。
【００１５】
ところで、図２などに示すように、当該連結部２１は一対の横フレーム８，８上に合計４カ所設置されているが、該連結部２１の取り付け個数について、何ら限定されるものではなく、一対の横フレーム８，８上に２個ずつ連結部２１を取り付けても構わないし、それ以上複数個取り付けても構わないものである。
【００１６】
以上において、次に、本発明の使用状態につき説明する。
【００１７】
まず、図１に示すように、例えば高速道路上のコンクリート床版２を複数枚のブロック片３・・・に切断する。
【００１８】
この際、あらかじめ本発明による床版剥がし装置６は組み立てておく。すなわち、一対の縦フレーム７，７と一対の横フレーム８，８を用意し、これらを固定部材１２・・で固定し、略方形状に枠組みする。当該枠組みの形状は、コンクリート床版２を切断したブロック片３の形状に合致させるとよい。
【００１９】
所定の形状に枠組みされた床版剥がし装置６にはその四隅部上方に吊り上げ部２５が各々設けられており、該吊り上げ部２５には吊り上げ用のロープ２６が係止出来るように構成されている。
よって、該ロープ２６をクレーンなどで吊り上げ、これにより床版剥がし装置６自体を吊り上げて、剥離すべきブロック片３の上に降下させる。
【００２０】
その状態はほぼ図２で示す状態となる。すなわち、剥離すべきブロック片３に隣り合うコンクリート床版２上に床版剥がし装置６の４カ所に設けられた脚２７・・・が配置される。
【００２１】
ここで、剥離すべきブロック片３には切削穴２４があらかじめ穿孔されており、該切削穴２４に連結部２１の昇降杆３１を挿通し、ブロック片３と床版剥がし装置６の昇降杆３１とを締結部材２３で固定し、連結する。
【００２２】
この状態から、昇降杆３１を駆動させ、上昇させる。
その駆動動作概略の一例を図５から図１１に示す。図６に示すように下クランプ部材３０の下クランプ３４をゆるめ、昇降杆３１のクランプ状態を解除する。ついで、図７に示すように、油圧ポンプなどの駆動部３３を駆動させ、伸縮ジャッキ３２を伸張し、上クランプ部材２９と下クランプ部材３０との間隔を拡げる。すると、昇降杆３１は上昇することとなり、ブロック片３を切れ目４，５に沿って上方に持ち上げることとなる。その後、図８に示すように、下クランプ３４を窄め、かつ図９に示すように上クランプ３５を開く。その後、図１０のように、伸縮ジャッキ３２を駆動して上クランプ部材２９と下クランプ部材３０との間隔を狭め、その後、上クランプ３５を閉じる。
【００２３】
しかして、かかる伸縮ジャッキ３２及び昇降杆３１の駆動動作を１回あるいは複数回繰り返して最終的にブロック片３を剥がす。
ところで、センターホールジャッキなどで構成された複数の連結部２１・・・は、油圧ポンプ等で構成された駆動部３３でそれぞれの連結部２１における昇降杆３１・・・が駆動されるが、この駆動動作は油圧ポンプなどの駆動部３３を制御することにより行われる。
すなわち、図１３から理解されるように、４カ所の連結部２１における昇降杆３１・・・は同時に同様の駆動力が付与されて上昇し、剥離すべきブロック片３を剥離する。しかし、現場の状況によっては前記ブロック片３が水平には剥がれず、波線で示すように傾いて剥がれることがある。この場合、再び、前記昇降杆３１・・・が駆動されるが、剥がれ方が少ない側の昇降杆３１，３１には大きな駆動力が付与され、剥がれ方が大きい側の昇降杆３１，３１には小さい駆動力が付与される。よって、最終的にブロック片３は実線で示すように水平状態をなしてスムーズに剥がされるものとなる。
この伸縮ジャッキ３２及びこれに伴う昇降杆３１の駆動制御としては、一般にコンピュータを使用し、油圧ポンプなどの駆動部３３を制御するのが好ましい。すなわち、傾きセンサを用い、該傾きセンサにより、第１回目に剥離作業を行った際のブロック片３の傾きを検出しておき、その検出値をコンピュータに送出して演算し、４つある伸縮ジャッキ３２及びこれに伴う昇降杆３１の第２回目の駆動制御を行うが如くである。
なお、伸縮ジャッキ３２及びこれに伴う昇降杆３１の制御については、作業者が第１回目の剥離作業でのブロック片３の傾きを目視して確認し、該傾きを考慮した第２回目の伸縮ジャッキ３２及びこれに伴う昇降杆３１の駆動作業を制御して行っても構わない。
【００２４】
その後、図１２に示すように、クレーン等で床版剥がし装置６及び当該装置６で剥離したブロック片３をも吊り上げ、運搬車両まで移動する。
【００２５】
なお、ブロック片３を剥離した後、近傍の現場でいったん降ろし、そこで床版剥がし装置６から剥離したブロック片３を取り外し、ブロック片３のみを運搬移動しても構わない。
【００２６】
以後、上記の作業を切断したブロック片３ごとに行い。すべてのコンクリート床版２を剥離するものとなる。
【図面の簡単な説明】
【００２７】
【図１】コンクリート床版を切断した状態の説明図である。
【図２】本発明による床版剥がし装置の構成を説明する構成説明図（その１）である。
【図３】本発明による床版剥がし装置の構成を説明する構成説明図（その２）である。
【図４】本発明による床版剥がし装置の構成を説明する構成説明図（その３）である。
【図５】連結部の構成部材であるセンターホールジャッキの動作を説明する概略説明図（その１）である。
【図６】連結部の構成部材であるセンターホールジャッキの動作を説明する概略説明図（その２）である。
【図７】連結部の構成部材であるセンターホールジャッキの動作を説明する概略説明図（その３）である。
【図８】連結部の構成部材であるセンターホールジャッキの動作を説明する概略説明図（その４）である。
【図９】連結部の構成部材であるセンターホールジャッキの動作を説明する概略説明図（その５）である。
【図１０】連結部の構成部材であるセンターホールジャッキの動作を説明する概略説明図（その６）である。
【図１１】連結部の構成部材であるセンターホールジャッキの動作を説明する概略説明図（その７）である。
【図１２】本発明による床版剥がし装置の構成を説明する構成説明図（その４）である。
【図１３】本発明による床版剥がし装置の構成を説明する構成説明図（その５）である。
【図１４】本発明による床版剥がし装置の構成を説明する構成説明図（その６）である。
【符号の説明】
【００２８】
１ 高速道路
２ コンクリート床版
３ ブロック片
４ 切れ目
５ 切れ目
６ 床版剥がし装置
７ 縦フレーム
８ 横フレーム
９ 装置本体
１０ 間隔
１１ 連結部
１２ 固定部材
２１ 連結部
２３ 締結部材
２４ 切削穴
２５ 吊り上げ部
２６ ロープ
２７ 脚
２８ 剥離用スペース
２９ 上クランプ部材
３０ 下クランプ部材
３１ 昇降杆
３２ 伸縮ジャッキ
３３ 駆動部
３４ 下クランプ
３５ 上クランプ
【図１】
0004573355.tif 000002
【図２】
0004573355.tif 000003
【図３】
0004573355.tif 000004
【図４】
0004573355.tif 000005
【図５】
0004573355.tif 000006
【図６】
0004573355.tif 000007
【図７】
0004573355.tif 000008
【図８】
0004573355.tif 000009
【図９】
0004573355.tif 000010
【図１０】
0004573355.tif 000011
【図１１】
0004573355.tif 000012
【図１２】
0004573355.tif 000013
【図１３】
0004573355.tif 000014
【図１４】
0004573355.tif 000015